【手続補正書】
【提出日】平成20年10月15日(2008.10.15)
【手続補正１】
【補正対象書類名】特許請求の範囲
【補正対象項目名】全文
【補正方法】変更
【補正の内容】
【特許請求の範囲】
【請求項１】
弁ハウジングと、該弁ハウジングの弁案内路内を所定圧にて摺動する弁本体の摺動方向と同一方向で且つ吐出流路と前記弁案内路とを連通する案内流入路とからなり、前記弁本体が下向きでリリーフ開口部を閉鎖するようにして前記弁案内路が設置され、且つ該弁案内路は前記案内流入路と共に前記吐出流路の直交断面上方に位置してなることを特徴としたリリーフバルブ。
【請求項２】
請求項１において、リリーフ流れ方向において前記案内流入路の手前位置にスラッジ溜り部が形成されてなることを特徴としたリリーフバルブ。
【請求項３】
弁ハウジングと、該弁ハウジングの弁案内路内を所定圧にて摺動する弁本体の摺動方向と同一方向で且つ吐出流路と前記弁案内路とを連通する案内流入路とからなり、前記弁本体が上向きでリリーフ開口部を閉鎖するようにして前記弁案内路が設置され、且つ該弁案内路は前記案内流入路と共に前記吐出流路の直交断面下方に位置され、該吐出流路にはリリーフ流れ方向において前記案内流入路の手前位置にスラッジ溜り部が形成されてなることを特徴としたリリーフバルブ。
【請求項４】
弁ハウジングと、該弁ハウジングの弁案内路内を所定圧にて摺動する弁本体の摺動方向と同一方向で且つ吐出流路と前記弁案内路のリリーフ開口部とを連通する案内流入路とからなり、前記弁案内路は前記弁本体が横向きでリリーフ開口部を閉鎖するようにして、前記弁案内路が設置され、リリーフ流れ方向において前記案内流入路の手前位置にスラッジ溜り部が形成されてなることを特徴としたリリーフバルブ。
【請求項５】
請求項２，３又は４のいずれか１項の記載において、前記スラッジ溜り部は、前記吐出流路のリリーフ流れ方向において前記案内流入路の後方位置にスラッジ溜り部が形成されてなることを特徴としたリリーフバルブ。
【請求項６】
請求項１，２，３，４又は５のいずれか１項の記載において、前記吐出流路は分岐吐出流路が形成されると共に、該分岐吐出流路に、前記弁案内路が前記案内流入路を介して連通してなることを特徴としたリリーフバルブ。
【請求項７】
請求項１，２，３，４，５又は６のいずれか１項の記載において、前記案内流入路との連通箇所付近における吐出流路はリリーフ流れ方向に沿って上方に傾斜してなることを特徴としたリリーフバルブ。
【請求項８】
請求項６において、前記分岐吐出流路は、略垂直方向に形成されると共に、該分岐吐出流路の下端よりスラッジ溜り部が略垂直方向に連続形成され、前記分岐吐出流路の下端位置とスラッジ溜り部との間に案内流入路が略水平状に形成されてなることを特徴としたリリーフバルブ。
【手続補正２】
【補正対象書類名】明細書
【補正対象項目名】０００６
【補正方法】変更
【補正の内容】
【０００６】
そこで、発明者は上記課題を解決すべく、鋭意，研究を重ねた結果、請求項１の発明を、弁ハウジングと、該弁ハウジングの弁案内路内を所定圧にて摺動する弁本体の摺動方向と同一方向で且つ吐出流路と前記弁案内路とを連通する案内流入路とからなり、前記弁本体が下向きでリリーフ開口部を閉鎖するようにして前記弁案内路が設置され、且つ該弁案内路は前記案内流入路と共に前記吐出流路の直交断面上方に位置してなるリリーフバルブとしたことにより、上記課題を解決した。
【手続補正３】
【補正対象書類名】明細書
【補正対象項目名】０００７
【補正方法】変更
【補正の内容】
【０００７】
請求項２の発明を、請求項１において、リリーフ流れ方向において前記案内流入路の手前位置にスラッジ溜り部が形成されてなるリリーフバルブとしたことにより、上記課題を解決した。
【手続補正４】
【補正対象書類名】明細書
【補正対象項目名】０００８
【補正方法】変更
【補正の内容】
【０００８】
請求項３の発明を、弁ハウジングと、該弁ハウジングの弁案内路内を所定圧にて摺動する弁本体の摺動方向と同一方向で且つ吐出流路と前記弁案内路とを連通する案内流入路とからなり、前記弁本体が上向きでリリーフ開口部を閉鎖するようにして前記弁案内路が設置され、且つ該弁案内路は前記案内流入路と共に前記吐出流路の直交断面下方に位置され、該吐出流路にはリリーフ流れ方向において前記案内流入路の手前位置にスラッジ溜り部が形成されてなるリリーフバルブとしたことにより、上記課題を解決した。
【手続補正５】
【補正対象書類名】明細書
【補正対象項目名】０００９
【補正方法】変更
【補正の内容】
【０００９】
請求項４の発明を、弁ハウジングと、該弁ハウジングの弁案内路内を所定圧にて摺動する弁本体の摺動方向と同一方向で且つ吐出流路と前記弁案内路のリリーフ開口部とを連通する案内流入路とからなり、前記弁案内路は前記弁本体が横向きでリリーフ開口部を閉鎖するようにして、前記弁案内路が設置され、リリーフ流れ方向において前記案内流入路の手前位置にスラッジ溜り部が形成されてなるリリーフバルブブとしたことにより、上記課題を解決した。
【手続補正６】
【補正対象書類名】明細書
【補正対象項目名】００１０
【補正方法】変更
【補正の内容】
【００１０】
請求項５の発明を、請求項２，３又は４のいずれか１項の記載において、前記スラッジ溜り部は、前記吐出流路のリリーフ流れ方向において前記案内流入路の後方位置にスラッジ溜り部が形成されてなるリリーフバルブとしたことにより、上記課題を解決した。請求項６の発明を、請求項１，２，３，４又は５のいずれか１項の記載において、前記吐出流路は分岐吐出流路が形成されると共に、該分岐吐出流路に、前記弁案内路が前記案内流入路を介して連通してなるリリーフバルブとしたことにより、上記課題を解決した。
【手続補正７】
【補正対象書類名】明細書
【補正対象項目名】００１１
【補正方法】変更
【補正の内容】
【００１１】
次に、請求項７の発明を、請求項１，２，３，４，５又は６のいずれか１項の記載において、前記案内流入路との連通箇所付近における吐出流路はリリーフ流れ方向に沿って上方に傾斜してなるリリーフバルブとしたことにより、上記課題を解決した。請求項８の発明を、請求項６において、前記分岐吐出流路は、略垂直方向に形成されると共に、該分岐吐出流路の下端よりスラッジ溜り部が略垂直方向に連続形成され、前記分岐吐出流路の下端位置とスラッジ溜り部との間に案内流入路が略水平状に形成されてなるリリーフバルブとしたことにより、上記課題を解決した。
【手続補正８】
【補正対象書類名】明細書
【補正対象項目名】００１２
【補正方法】変更
【補正の内容】
【００１２】
請求項１の発明では、吐出流路内で流体に混じっているスラッジがその自重によって沈降し、吐出流路の直交断面下部、すなわち底面にスラッジが堆積しそのスラッジが除去された状態の流体のみがリリーフ作動時に案内流入路から弁案内路内へ流入することができ、スラッジがリリーフバルブに侵入することを防止できる。
【手続補正９】
【補正対象書類名】明細書
【補正対象項目名】００１３
【補正方法】変更
【補正の内容】
【００１３】
さらに、請求項１の発明では、前記弁本体が下向きでリリーフ開口部を閉鎖するようにして前記弁案内路が設置され、且つ該弁案内路は前記案内流入路と共に前記吐出流路の直交断面上方に位置するようにしたので、前記吐出流路に流体に混じっているスラッジが沈降して堆積した位置から上方の離れた位置に案内流入路及び弁案内路が存在することになり、スラッジがより一層案内流入路や弁案内路内に侵入しにくい状態となり、スラッジのリリーフバルブ内への侵入をさらに強力に防止することができる。請求項２の発明では、スラッジがスラッジ溜り部に溜め込まれ、より確実にスラッジのリリーフバルブへの侵入を防止することができる。  
【手続補正１０】
【補正対象書類名】明細書
【補正対象項目名】００１４
【補正方法】変更
【補正の内容】
【００１４】
次に、請求項３の発明では、吐出流路を流れる流体に混じっているスラッジが自重にて吐出流路の直交断面下部に堆積しつつ、さらに流体の流れによって前記案内流入路に近づいても、該案内流入路の流れ方向における手前に位置するスラッジ溜り部にスラッジが入り込むものである。したがって、前記案内流入路にスラッジが到達することなく、前記案内流入路及び弁案内路にスラッジが侵入することを防止できる。また、弁案内路の設置状態は、弁本体が上向きで弁案内路を閉鎖するタイプが多いので、通常の流体回路を備えたものに対して僅かに加工を施すのみで極めて簡単に製造されるものである。
【手続補正１１】
【補正対象書類名】明細書
【補正対象項目名】００１５
【補正方法】変更
【補正の内容】
【００１５】
請求項４の発明では、弁案内路が横方向に設置されるもので、リリーフバルブの設置範囲を小さくコンパクトにすることができ、装置の小型化を実現することができる。その他の効果は、請求項３と略同等である。請求項５の発明では、請求項２，３又は４のいずれか１項の記載において、前記スラッジ溜り部を前記吐出流路のリリーフ流れ方向において前記案内流入路の後方位置にも形成したので、ポンプ等の器機が万が一、停止して、リリーフ流れ方向とは反対の流体が生じたとしても、前記リリーフ流れ方向において、案内流入路の手前及び後方にスラッジ溜り部がそれぞれ形成されるので、スラッジを２つのスラッジ溜り部によって、確実に取り込むことができ、弁ハウジング内にスラッジが侵入することをより一層、確実に防止することができる。  
【手続補正１２】
【補正対象書類名】明細書
【補正対象項目名】００１６
【補正方法】変更
【補正の内容】
【００１６】
請求項６の発明では、前記吐出流路に分岐吐出流路を形成して、該分岐吐出流路に前記弁案内路が前記案内流入路を介して連通させたことで、より一層、流体の異常圧力を検知しやすいものにできる。請求項７の発明では、前記案内流入路との連通箇所付近における吐出流路はリリーフ流れ方向に沿って上方に傾斜しているので、流体に混じっているスラッジは沈降しつつ自重で傾斜下方に移動しより一層案内流入路及び弁案内路にスラッジが侵入しにくい構造にすることができる。
【手続補正１３】
【補正対象書類名】明細書
【補正対象項目名】００１７
【補正方法】変更
【補正の内容】
【００１７】
請求項８の発明では、前記分岐吐出流路とスラッジ溜り部とが略垂直方向に連続して形成されるものであり、前記案内流入路は、前記分岐吐出流路の下端位置とスラッジ溜り部との間に水平状に形成されたことにより、スラッジは自重により、スラッジ溜り部に溜め易い構造にすることができる。また、前記案内流入路は分岐吐出流路の下端に位置したもので、すなわち、前記スラッジ溜り部の上端に位置することとなり、案内流入路は、略水平状なので、スラッジが案内流入路に侵入し難い構造となっている。